(57)【要約】【課題】コンロ全体の幅を小さくしても、２つのガスバーナを安定的に設置することができるビルトインコンロを提供する。【解決手段】ビルトインコンロ１は、第１ガスバーナ６の後方側に第２ガスバーナ５が配置され、第１ガスバーナ６と第２ガスバーナ５とが前後に並ぶ構成をなす。第１ガスバーナ６及び第２ガスバーナ５を収容する筐体部３０は、底壁部３８及び周壁部３２を備え、上端側が開放した構成をなす。支持縦板部８０は、筐体部３０の底壁部３８から上方側に立ち上がる形態をなし、第１縦板部８１と第２縦板部８２とが折れ曲がった状態で配置される。載置台８３は、支持縦板部８０によって下側から支持される台であり、第２ガスバーナ５が載置される台である。【選択図】図６
2019152395.tif 000002
【特許請求の範囲】
【請求項１】
第１ガスバーナと、
前記第１ガスバーナの後方側において前記第１ガスバーナと前後に並ぶ第２ガスバーナと、
底壁部と、前記底壁部の上側に連結される周壁部と、を備えるとともに、上端側が開放した構成をなし、前記第１ガスバーナ及び前記第２ガスバーナを収容する筐体部と、
板状に構成され、前記筐体部の上端側を閉塞するように取り付けられるトッププレートと、
前記筐体部内に配置されるとともに、前記底壁部から上方側に立ち上がる形態をなし、第１縦板部と第２縦板部とが折れ曲がった状態で配置される支持縦板部と、
前記支持縦板部によって下側から支持される台であり、前記第２ガスバーナが載置される載置台と、
を備えるビルトインコンロ。
【請求項２】
前記載置台の後端部が前記周壁部に固定されている請求項１に記載のビルトインコンロ。
【請求項３】
前記第２縦板部が前記第２ガスバーナ側に配置され、前記第１縦板部が前記第２縦板部から前記第１ガスバーナ側に延びており、
前記第１縦板部の上端部に、前記トッププレートの裏面側を支持するための支持部が設けられている
請求項１又は請求項２に記載のビルトインコンロ。
【請求項４】
前記第１縦板部は、前記第２縦板部の最大高さよりも低い高さで前記第２縦板部側から前記第１縦板部側の延びる低壁部と、前記低壁部よりも前記第１ガスバーナ側に配置されるとともに、前記低壁部よりも高く構成された高壁部と、を有し、
前記高壁部の上端部が前記支持部となっている
請求項３に記載のビルトインコンロ。
【請求項５】
前記低壁部の上方側において前記低壁部を跨ぐ形態で配置される配管部を備え、
前記支持部の一部が前記配管部の上方に配置されている
請求項４に記載のビルトインコンロ。
【発明の詳細な説明】
【技術分野】
【０００１】
本発明は、ビルトインコンロに関するものである。
【背景技術】
【０００２】
特許文献１には、ビルトインコンロの一例が開示されている。このビルトインコンロは、システムキッチンのカウンタートップに開設されたカウンタ孔に落とし込み状態に装着される本体ケースと、外周縁を下面内側に向けて曲げ加工して形成した係合屈曲部を備え且つ本体ケースの上端のケース開口部を覆う平面矩形状の金属板製の天板と、本体ケース内にて横方向に間隔を置いて設けられ且つ天板に開設されたバーナ用開口を介して上方に突出するバーナヘッドを具備する左右一対のガスバーナと、を備えている。この種のビルトインコンロでは、筐体の左右の側壁間に左右に延びる梁部材を少なくとも２本架設し、これら梁部材上の所定位置に載置台等を介してガスバーナを固定する構成が採用されている。
【先行技術文献】
【特許文献】
【０００３】
【特許文献１】特開２０１７−７５７４３号公報
【発明の概要】
【発明が解決しようとする課題】
【０００４】
ビルトインコンロの設計は、カウンターキッチンの大きさ、構造、レイアウト等に左右され、カウンターキッチンの種類によっては、特許文献１のような構成のものを用いることができず、ビルトインコンロ全体の幅を小さくしなければならない場合もある。しかし、ビルトインコンロ全体の幅を小さくする場合、筐体内の狭いスペースに多数の部品を配置しなければならなくなり、筐体内に十分な空間的余裕を確保できなくなるため、左右に延びる複数本の梁部材を筐体の側壁間に架設するような従来の方式を採用することが難しくなる。
【０００５】
本発明は、上述した課題を解決するためになされたものであり、コンロ全体の幅を小さくしても、ガスバーナを安定的に設置しやすいビルトインコンロを提供することを目的とするものである。
【課題を解決するための手段】
【０００６】
本発明の一つであるビルトインコンロは、
第１ガスバーナと、
第１ガスバーナの後方側において第１ガスバーナと前後に並ぶ第２ガスバーナと、
底壁部と、底壁部の上側に連結される周壁部と、を備えるとともに、上端側が開放した構成をなし、第１ガスバーナ及び前記第２ガスバーナを収容する筐体部と、
板状に構成され、筐体部の上端側を閉塞するように取り付けられるトッププレートと、
筐体部内に配置されるとともに、底壁部から上方側に立ち上がる形態をなし、第１縦板部と第２縦板部とが折れ曲がった状態で配置される支持縦板部と、
支持縦板部によって下側から支持される台であり、第２ガスバーナが載置される載置台と、
を備える。
【０００７】
上記ビルトインコンロは、第１縦板部と第２縦板部とが折れ曲がった状態で配置される支持縦板部が、底壁部から上方側に立ち上がる形態で設けられる。そして、この支持縦板部によって載置台が支持され、載置台に第２ガスバーナが載置される構成をなす。このような構成であるため、コンロ幅の縮小に起因して筐体部内で部品が密集することになっても、ガスバーナを安定的に支持し得る部材のスペースを確保しやすくなり、コンロ幅の縮小とガスバーナの設置の安定化とを両立し得る。
【０００８】
上記ビルトインコンロは、載置台の後端部が周壁部に固定されていてもよい。
このようにすれば、載置台をより安定化させることができ、ひいては、第２ガスバーナをより安定的に設置することができる。
【０００９】
上記ビルトインコンロは、第２縦板部が第２ガスバーナ側に配置され、第１縦板部が第２縦板部から第１ガスバーナ側に延びていてもよく、第１縦板部の上端部に、トッププレートの裏面側を支持するための支持部が設けられていてもよい。
第１ガスバーナと第２ガスバーナを前後に並べた構成では、トッププレートのガスバーナ間の領域が熱の影響を受けやすく、この部分が熱ひずみによって下方側に変形することが懸念されるが、上記構成によれば、熱ひずみによる下方への変形を支持部によって抑えることができる。
【００１０】
上記ビルトインコンロにおいて、第１縦板部は、第２縦板部の最大高さよりも低い高さで第２縦板部側から第１縦板部側の延びる低壁部と、低壁部よりも第１ガスバーナ側に配置されるとともに、低壁部よりも高く構成された高壁部と、を有していてもよい。そして、高壁部の上端部が支持部となっていてもよい。
このようにすれば、第１ガスバーナ側に近い位置に相対的に高く構成された高壁部を配置して支持部を設けることができ、高壁部と第２ガスバーナの間には相対的に低い構成された低壁部が配置されているため、この領域に支持縦板部を跨ぐような部品を配置することができる。
【００１１】
上記ビルトインコンロは、低壁部の上方側において低壁部を跨ぐ形態で配置される配管部を備えていてもよい。そして、支持部の一部が配管部の上方に配置されていてもよい。
このようにすれば、低壁部と交差する形で配管部を配置することができ、低壁部の上方側を配管部の配置スペースとして有効に利用することができる。
【発明の効果】
【００１２】
本発明の一つであるビルトインコンロは、コンロ全体の幅を小さくしても、ガスバーナを安定的に設置しやすくなる。
【図面の簡単な説明】
【００１３】
【図１】図１は、実施例１のビルトインコンロを概略的に例示する斜視図である。
【図２】図２は、図１のビルトインコンロの平面図である。
【図３】図３は、図１のビルトインコンロにおいて、トッププレート等を取り外した状態を例示する斜視図である。
【図４】図４は、図２のＡ−Ａ断面を概略的に例示する断面図である。
【図５】図５は、図２のＢ−Ｂ断面を概略的に例示する断面図である。
【図６】図６は、図３からガスバーナ及び操作つまみを分解した分解斜視図である。
【図７】図７は、図３からガスバーナ、操作つまみ、載置台、センサ部等を分解した分解斜視図である。
【発明を実施するための形態】
【００１４】
＜実施例１＞
以下、本発明の一例を具現化したビルトインコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。なお、ビルトインコンロ１は、ガスコンロの一例に相当する。
【００１５】
ビルトインコンロ１は、図１、図２のような外観をなし、図３〜図５のような内部構成となっている。ビルトインコンロ１は、図２で概念的に示すキッチンカウンター１００の所定の載置面１０２Ａに形成されたカウンター孔１０４を通してキッチンカウンター１００の内部に一部（後述する周壁部３２等）が収容されつつ、筐体部３０の一部（被支持部３４）がカウンター孔１０４の周囲の載置面１０２Ａに支持された状態で設置される。図１のように、ビルトインコンロ１は、板状に構成されたトッププレート２が筐体部３０に対して着脱可能に取り付けられてなる。
【００１６】
図４、図５のように、筐体部３０は、第１ガスバーナ６（以下、単にガスバーナ６ともいう）や第２ガスバーナ５（以下、単にガスバーナ５ともいう）などの各種部品を収容する収容空間９９の周囲に配置される周壁部３２と、周壁部３２の上端部において外側へと環状に張り出すように形成された被支持部３４と、を備え、上端部３０Ａ側が開放した箱状のケース体として構成されている。周壁部３２は、前後左右のそれぞれに壁部が配置され、これら壁部によって囲まれた内部空間（収容空間９９）にガスバーナ５，６などの各種部品を収容する構成をなす。
【００１７】
図１、図２で示すトッププレート２は、板状に構成された部品であり、筐体部３０の上端部３０Ａ（図３〜図５）を覆うことにより筐体部３０の上端側に形成された開口部を閉塞する形で、筐体部３０に対して上方側から組み付けられる。トッププレート２は、矩形状の周縁部２Ｂを有しており、この周縁部２Ｂは、筐体部３０における被支持部３４の上方側を覆うように配置される。なお、本構成において、周縁部２Ｂは、トッププレート２のうちの被支持部３４を覆う被覆部及びその被覆部の外側に配置される部分の総称である。図２のように、トッププレート２は、筐体部３０に対して着脱可能とされており、筐体部３０に組みつけられた状態でビルトインコンロ１の上面部として機能する。
【００１８】
本構成では、トッププレート２において、第２ガスバーナ５及び第１ガスバーナ６の周囲に平坦な上面を有する平坦部２Ａが設けられており、この平坦部２Ａの上面と直交する方向をビルトインコンロ１の上下方向とする。また、上下方向と直交する方向のうち、図２のように平面視したときのビルトインコンロ１の長手方向がビルトインコンロ１の前後方向であり、これら上下方向及び前後方向と直交する方向がビルトインコンロ１の左右方向（幅方向）である。
【００１９】
図１、図２のように、トッププレート２の後ろ側の開口部２Ｃの内側には第２ガスバーナ５が設けられ、前側の開口部２Ｄの内側には第１ガスバーナ６が設けられている。それぞれの開口部２Ｃ，２Ｄの上側には五徳１１，１２が設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。なお、本構成では、五徳１１，１２上に平坦な板材を配置したときのその板面と直交する方向がビルトインコンロ１の上下方向となっている。第２ガスバーナ５の中心にはセンサ部１５が設けられ、第１ガスバーナ６の中心にはセンサ部１６が設けられている。ビルトインコンロ１の上面側において、トッププレート２の前端寄りの領域には、トッププレート２を貫通した形で点火スイッチ２１，２２がそれぞれ設けられ、左側の点火スイッチ２１は、第２ガスバーナ５の点火操作や火力調整操作を行うための操作部となっており、右側の点火スイッチ２２は、第１ガスバーナ６の点火操作や火力調整操作を行うための操作部となっている。
【００２０】
（ガスバーナ固定構造）
図１のように、ビルトインコンロ１は、第１ガスバーナ６の後方側に第１ガスバーナ６よりも小サイズの第２ガスバーナ５が配置され、第１ガスバーナ６と第２ガスバーナ５とが前後に並ぶ構成をなす。これら第１ガスバーナ６及び第２ガスバーナ５を収容する筐体部３０は、図６のように、底壁部３８と、底壁部３８の上側に連結される周壁部３２と、を備え、上端側が開放した構成をなしている。周壁部３２は、第１ガスバーナ６や第２ガスバーナ５を収容する収容空間９９の前後左右にそれぞれ配置される壁部であり、収容空間９９を取り囲むように環状に配置されている。底壁部３８は、周壁部３２の下端側を閉塞する壁部であり、各種部品を載置したり固定したりするための底部となっている。そして、図６、図７のように、筐体部３０の内部には、底壁部３８に固定されるとともに底壁部３８の上面から上方側に立ち上がった形態で、支持縦板部８０が設けられている。
【００２１】
支持縦板部８０は、筐体部３０内に配置されるとともに、第１縦板部８１と第２縦板部８２とが折れ曲がった状態で配置される。第１縦板部８１及び第２縦板部８２は、例えば金属板材によって一体的に構成されており、ねじ等の連結部材によって底壁部３８に固定されている。
【００２２】
第１縦板部８１は、底壁部３８から上方側に立ち上がる板状形態をなし、板面方向が上下方向に沿った方向且つ前後方向に対して若干傾斜した方向となっている。第２縦板部８２は、第１縦板部８１に対して略直角に折れ曲がっており、底壁部３８から上方側に立ち上がる板状形態をなし、板面方向が上下方向に沿った方向且つ左右方向に対して若干傾斜した方向となっている。
【００２３】
第２縦板部８２は、第１ガスバーナ６よりも第２ガスバーナ５側に配置され、第１縦板部８１は、第２縦板部８２の端部から第１ガスバーナ６側に延び、第１ガスバーナ６と第２ガスバーナ７との間に配置されている。
【００２４】
載置台８３は、例えば金属板材などによって環状且つ板状に構成されたベース部材８３Ａと、ねじ等の連結部材によってベース部材８３Ａに連結される延設部材８３Ｂとを備える。載置台８３は、支持縦板部８０によって下側から支持される台であり、第２ガスバーナ５が載置される台となっている。図６、図７のように、載置台８３は、第２縦板部８２の上端部に対してねじ等の連結部材によって固定される構造をなす。図６のように第２縦板部８２に取り付けられた載置台８３には、図３のように第２ガスバーナ５が載置されつつねじ等の連結部材によって固定される。
【００２５】
載置台８３においてベース部材８３Ａの後端部には係止部８３Ｃが形成されており、係止部８３Ｃは、周壁部３２を構成する後壁部３２Ｂの幅方向中央部付近に形成された溝部３２Ｅ内に挿入され、溝部３２Ｅに係止された状態で後壁部３２Ｂに固定される。延設部材８３Ｂは、ベース部材８３Ａから後壁部３２Ｂの幅方向端部側に延び、延設部材８３Ｂの後端部には係止部８３Ｄが形成されている。係止部８３Ｄは、後壁部３２Ｂの幅方向端部付近に形成された溝部３２Ｆ内に挿入され、溝部３２Ｆに係止された状態で後壁部３２Ｂに固定される。このように、載置台８３は、支持縦板部８０における第２縦板部８２の上端部と後壁部３２Ｂの上下方向中間位置との間に架設されており、第２縦板部８２及び周壁部３２に支持された形態で固定されている。
【００２６】
図３のように、支持縦板部８０を構成する第１縦板部８１の上端部には、トッププレート２の裏面側を支持するための支持部８７が設けられている。図６、図７のように、第１縦板部８１は、第２縦板部８２の最大高さよりも低い高さで第２縦板部８２側から第１縦板部８１側に延びる低壁部８５と、低壁部８５よりも第１ガスバーナ６側に配置されるとともに低壁部８５よりも高く構成された高壁部８６と、を有する。そして、板状に構成された高壁部８６の上端部が折り曲げられた形態で支持部８７となっている。支持部８７は、ガスバーナ５とガスバーナ６の間に介在し、トッププレート２においてガスバーナ５を通すための開口部２Ｃとガスバーナ６を通すための開口部２Ｄとの間に配置される部分を下方側から押圧しつつ支えるように配置される。
【００２７】
図６のように、筐体部３０内には、低壁部８５の上方側において低壁部８５とトッププレート２との間を通るように低壁部８５を跨ぐ形態で配管部９８が設けられており、支持部８７の一部が配管部９８の上方に配置されている。配管部９８は、燃料供給装置１７Ｂからの燃料（ガス）をガスバーナ６に導くためのガス流路である。具体的には、スイッチ２２によって点火操作及び火力調整操作が行われる点火・火力調整装置としての燃料供給装置１７Ｂが筐体部３０の前端寄りかつトッププレート２の前端寄りに設けられている。この燃料供給装置１７Ｂは、スイッチ２２の回転に応じてガスバーナ６の点火や火力調節を行う公知の点火・火力調節装置として構成され、ガスバーナ６が点火状態のときに配管部９８を通るガスの流量はスイッチ２２の操作量（回転量）に応じて定まるようになっている。配管部９８は、この燃料供給装置１７Ｂから前側のガスバーナ６へガスを導くためのガス流路として構成されている。具体的には、配管部９８は、燃料供給装置１７Ｂから後方側（ビルトインコンロ１の前後方向中心位置よりも後方側）に延びており、このように後方側に延びる部分が、低壁部８５を跨ぐ形態で配置されている。そして、配管部９８は、ビルトインコンロ１の前後方向中心位置よりも後方側でガスバーナ６に固定され、後方側からガスを導くように配置されている。
【００２８】
次に、本構成の効果を例示する。
ビルトインコンロ１は、第１縦板部８１と第２縦板部８２とが折れ曲がった状態で配置される支持縦板部８０が、底壁部３８から上方側に立ち上がる形態で設けられる。そして、この支持縦板部８０によって載置台８３が支持され、載置台８３に第２ガスバーナ５が載置される構成をなす。このような構成であるため、コンロ幅の縮小に起因して筐体部３０内で部品が密集することになっても、ガスバーナを安定的に支持し得る部材のスペースを確保しやすくなり、コンロ幅の縮小とガスバーナの設置の安定化とを両立し得る。
【００２９】
上記ビルトインコンロ１は、載置台８３の後端部が周壁部３２に固定されている。このようにすれば、載置台８３をより安定化させることができ、ひいては、第２ガスバーナ５をより安定的に設置することができる。
【００３０】
上記ビルトインコンロ１は、第２縦板部８２が第２ガスバーナ５側に配置され、第１縦板部８１が第２縦板部８２から第１ガスバーナ６側に延びている。そして、第１縦板部８１の上端部に、トッププレート２の裏面側を支持するための支持部８７が設けられている。第１ガスバーナ６と第２ガスバーナ５を前後に並べた構成では、トッププレート２のガスバーナ間の領域が熱の影響を受けやすく、この部分が熱ひずみによって下方側に変形することが懸念されるが、上記構成によれば、熱ひずみによる下方への変形を支持部８７によって抑えることができる。
【００３１】
上記ビルトインコンロ１において、第１縦板部８１は、第２縦板部８２の最大高さよりも低い高さで第２縦板部８２側から第１縦板部８１側の延びる低壁部８５と、低壁部８５よりも第１ガスバーナ６側に配置されるとともに、低壁部８５よりも高く構成された高壁部８６と、を有する。そして、高壁部８６の上端部が支持部８７となっている。このようにすれば、第１ガスバーナ６側に近い位置に相対的に高く構成された高壁部８６を配置して支持部８７を設けることができ、高壁部８６と第２ガスバーナ５の間には相対的に低い構成された低壁部８５が配置されているため、この領域に支持縦板部８０を跨ぐような部品を配置することができる。
【００３２】
上記ビルトインコンロ１は、低壁部８５の上方側において低壁部８５を跨ぐ形態で配置される配管部９８を備える。そして、支持部８７の一部が配管部９８の上方に配置されている。このようにすれば、低壁部８５と交差する形で配管部９８を配置することができ、低壁部８５の上方側を配管部９８の配置スペースとして有効に利用することができる。
【００３３】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００３４】
上述した実施例では低壁部８５の上方に配管部９８が配置されていたが、他の部品が配置されていてもよく、配管部９８が配置されていなくてもよい。
【符号の説明】
【００３５】
１…ビルトインコンロ
２…トッププレート
５…第２ガスバーナ
６…第１ガスバーナ
３０…筐体部
３２…周壁部
３８…底壁部
８０…支持縦板部
８１…第１縦板部
８２…第２縦板部
８３…載置台
８５…低壁部
８６…高壁部
８７…支持部
９８…配管部
１００…キッチンカウンター
１０２Ａ…載置面
１０４…カウンター孔
【図１】
2019152395.tif 000003
【図２】
2019152395.tif 000004
【図３】
2019152395.tif 000005
【図４】
2019152395.tif 000006
【図５】
2019152395.tif 000007
【図６】
2019152395.tif 000008
【図７】
2019152395.tif 000009